(57)【要約】【課題】通話相手の音声の補正の設定を項目ごとに個別かつ容易に行うことができ、補正内容を最適化することが可能な通話装置を得る。【解決手段】通話装置を、音声記憶手段４１と、補正条件決定手段４２と、音声補正手段４３とで構成する。音声記憶手段４１は双方向での通話中に音声を保存する機能を有する。補正条件決定手段４２は、保存された音声に基づいて音声を補正する際の条件を決定し補正条件として保存する機能を有する。音声補正手段４３は補正条件に基づいて通話相手の音声を補正する。このような構成より、通話中に保存した音声データを基に、通話相手の音声を補正する際の条件を決定している。そのため、音声補正に関する設定値の設定が容易となり、通話の中断等を行うことなく通話時の音声の補正を最適化することが可能となる。【選択図】      図１０
2014160973.tif 000002
【特許請求の範囲】
【請求項１】
双方向での通話中に音声を保存する音声記憶手段と、
保存された前記音声に基づいて音声を補正する際の条件を決定し補正条件として保存する補正条件決定手段と、
前記補正条件に基づいて通話相手の音声を補正する音声補正手段とを備えることを特徴とする通話装置。
【請求項２】
前記補正条件決定手段は、前記補正手段による音声の補正項目ごとに補正値を設定する補正値設定手段をさらに備え、
前記補正値設定手段により設定された補正値を前記補正条件とすることを特徴とすることを特徴とする請求項１に記載の通話装置。
【請求項３】
前記補正条件を決定する際に前記補正項目を表示する表示手段と、
前記表示手段に表示された前記補正項目の設定値を入力する入力手段とをさらに備え、
前記補正値設定手段は前記入力手段により入力された設定値を前記補正値とすることを特徴とする請求項２に記載の通話装置。
【請求項４】
前記音声記憶手段に保存された音声とあらかじめ設定された所定のグループごとの音声データとを比較して、前記保存された音声がどのグループに属するかを判断する音声認識手段をさらに備え、
前記補正値設定手段は音声識別手段により判断された前記グループに基づいて前記補正項目ごとの前記補正値を設定することを特徴とする請求項２に記載の通話装置。
【請求項５】
前記補正条件は通話相手の情報と関連付けて保存されており、
前記音声補正手段は、前記通話相手と再度通話する際に前記通話相手と関連付けて保存された前記補正条件に基づいて前記通話相手の音声の補正を行うことを特徴とする請求項１から４いずれかに記載の通話装置。
【請求項６】
前記補正条件決定手段における補正条件の決定が非通話時に行われることを特徴とする請求項１から５いずれかに記載の通話装置。
【請求項７】
双方向での通話中に音声を保存し、
保存された前記音声に基づいて音声を補正する際の条件を補正条件として決定し、
前記補正条件に基づいて通話相手の音声を補正することを特徴とする通話装置の音声補正方法。
【請求項８】
前記補正条件は音声の補正項目ごとに設定され、
前記補正項目ごとに補正値を設定することを特徴とする請求項７に記載の通話装置の音声補正方法。
【請求項９】
補正条件を決定する際に、音声の補正項目を表示し、
補正項目ごとに入力された設定値を補正値として補正条件を決定することを特徴とする請求項８に記載の通話装置の音声補正方法。
【請求項１０】
前記補正条件を通話相手の情報と関連付けて保存し、
前記通話相手と再度、通話する際に、前記通話相手と関連付けられて保存された前記補正条件に基づいて前記通話相手の音声の補正を行うことを特徴とする請求項７から９いずれかに記載の通話装置の音声補正方法。
【発明の詳細な説明】
【技術分野】
【０００１】
本発明は、通話装置に関するものであり、特に携帯電話装置における音声補正技術に関するものである。
【背景技術】
【０００２】
無線通信技術や電子デバイス技術の発達等の背景もあり携帯電話装置等の通話装置が広く普及している。また、普及にともない通話装置を使用する人や通話装置の使用される場所が多様化している。そのため、使用する人の年齢等や使用される場所に関わらず快適に使用できることが望ましく、それぞれの条件に適した通話装置の動作が期待される。
【０００３】
使用する人や使用される場所に応じた動作の最適化の１つとしては、通話装置から出力される音声を条件に応じて最適化することがあげられる。音声を条件に応じて最適化する方法としては、例えば、通話相手に応じて音声を調整する方法がある。通話相手に応じて音声を調整する技術としては、特許文献１に開示されているような技術がある。
【０００４】
特許文献１には通話中に音質を調整することが可能な通信端末に関する技術が開示されている。特許文献１の通信端末は、騒音下で使用する際などに送信する音声を補正する機能と、相手の音声が聞きづらいときに受信する音声を補正する機能とを有している。音声の補正は、音声を強調しノイズを抑えるように周波数特性を狭帯域高音強調型にする方法やすべての音を聞きやすくするように周波数特性を広帯域平坦型にする方法などにより行われる。特許文献１では、このような、機能を有することにより相手の声質や使用環境から生じる問題を除去して良好な通話品質を得ることができるとしている。
【０００５】
また、特許文献２には、音量、音質および話速を一元的に調整する機能を有する情報通信端末が開示されている。特許文献２の情報通信端末では、音量、音質および話速のそれぞれを調整する機能を有している。また、それらの調整を表示画面に一元的に表示された設定値を操作することにより行うことができる。特許文献２では、これらの機能を有することにより、通話中に音量、音質および話速の調整を一元で任意に行うことが可能になるとしている。
【先行技術文献】
【特許文献】
【０００６】
【特許文献１】特開２００１−１３６２３９号公報
【特許文献２】特開２００８−２５２８４９号公報
【発明の概要】
【発明が解決しようとする課題】
【０００７】
しかしながら、特許文献１に開示された技術には次のような課題がある。特許文献１の技術では、予め補正内容が設定された条件が選択されるのみであり音声の補正に関する各要素を個別に設定することができない。そのため、通話相手や環境に応じた細かな設定を行い、通話における音声品質を最適化するには不十分である。また、引用文献２に開示された技術では、音声の補正に関する各要素を設定できるようになっているが、通話中にその補正を行う機能を有しているのみである。よって、通話中に情報通信端末の表示画面を見る必要があり、その間の通話に支障をきたす場合がある。また、通話が短期間の場合や、表示画面を見る余裕が無い場合には十分な調整ができないことがある。
【０００８】
本発明は通話相手の音声の補正の設定を項目ごとに個別かつ容易に行うことができ、補正内容を最適化することが可能な通話装置を得ることを目的としている。
【課題を解決するための手段】
【０００９】
上記の課題を解決するため、本発明の通話装置は、音声記憶手段と、補正条件決定手段と、音声補正手段とを備えている。音声記憶手段は双方向での通話中に音声を保存する機能を有する。補正条件決定手段は、保存された音声に基づいて音声を補正する際の条件を決定し補正条件として保存する機能を有する。音声補正手段は補正条件に基づいて通話相手の音声を補正する。
【００１０】
また、本発明の通話装置の音声補正方法では、双方向での通話中に音声を保存し、保存された前記音声に基づいて音声を補正する際の条件を補正条件として決定し、補正条件に基づいて通話相手の音声を補正する。
【発明の効果】
【００１１】
本発明では通話中に保存した音声データを基に、通話相手の音声を補正する際の条件を設定している。そのため、音声補正に関する設定値の設定が容易となり、通話の中断等を行うことなく通話時の音声の補正を最適化することが可能となる。
【図面の簡単な説明】
【００１２】
【図１】本発明の第１の実施形態の構成の概要を示す図である。
【図２】本発明の第１の実施形態における操作画面の例を示す図である。
【図３】本発明の第１の実施形態における動作フローの概要を示す図である。
【図４】本発明の第１の実施形態における動作フローの概要を示す図である。
【図５】本発明の第２の実施形態の構成の概要を示す図である。
【図６】本発明の第２の実施形態における動作フローの概要を示す図である。
【図７】本発明の第２の実施形態における動作フローの概要を示す図である。
【図８】本発明の実施形態における操作画面の例を示す図である。
【図９】本発明の実施形態における操作画面の例を示す図である。
【図１０】本発明の第３の実施形態の構成の概要を示す図である。
【発明を実施するための形態】
【００１３】
本発明の第１の実施形態について図１を参照して詳細に説明する。図１は本実施形態の携帯電話装置の構成の概要を示したものである。
【００１４】
本実施形態の携帯電話装置は制御部１１と、音声補正部１２と、音声記憶部１３と、設定情報記憶部１４と、通信部１５と、操作部１６と、表示部１７と、音声出力部１８と、音声入力部１９とを備えている。
【００１５】
制御部１１は携帯電話装置を構成する各部位に動作に関する指示を送り制御を行う機能を有する。音声補正部１２は設定情報記憶部１４に保存された所定の設定情報に基づいて音声の処理を行い、音声出力部１８に音声データを送り出力させる機能を有する。音声補正部１２による音声の補正は、所定の周波数帯域での信号の強調や減衰処理、出力速度の調整による通話速度の変更などにより行われる。本実施形態においては、音声補正に関する設定項目は図２に示すように、再生速度、雑音除去および音質の３項目が設定されている。再生速度はユーザに聞こえる通話相手の話し声の速さを調節するための項目であり、音声の出力速度が調整される。雑音除去は、通話相手の声以外の音声を雑音として除去して、通話相手の声を聴きやすくするものである。雑音除去は人の声に対応した周波数帯以外の周波数の音声を除去することなどにより行う。音質は音声の周波数特性の調節に関する項目である。例えば、音質に関する補正では特定の周波数の音声を増幅または抑制して出力する音声の調整が行われる。
【００１６】
音声記憶部１３は半導体メモリ素子等で構成されており、通話中の音声を音声データとして記憶する機能を有する。設定情報記憶部１４は、音声補正部１２で音声を補正する際の設定値等を記憶する機能を有する。通信部１５は通信網とデータの送受信を行う機能を有する。例えば、通信部１５は、ＬＴＥ（Long Term Evolution）規格に沿った無線通信を行う。操作部１６は、ボタン式の入力素子等で構成されユーザによる操作や情報入力を検出する機能を有する。また、操作部１６の機能の一部は音声入力部１９から入力されるユーザの音声を用いた音声入力方式により行われることがある。表示部１７は液晶ディスプレイ装置や有機ＥＬ（Electro Luminescence）ディスプレイ装置等で構成され、各情報を表示する機能を有する。また、表示部１７にタッチパネルを用いて画面への情報の表示とユーザの操作による入力機能を組み合せることにより、操作部１６の機能の一部と表示部１７とが一体となって構成されていることもある。音声出力部１８は音声データを含む信号を音声に変換して出力しユーザに伝達する機能を有する。音声入力部１９はマイクロフォンを備え、ユーザの音声を電気信号に変換する機能を有する。
【００１７】
本実施形態の携帯電話装置において、通話が行われる際の動作について説明する。図３に通話が行われる際のフローの概略を示した。携帯電話装置において相手からの着信またはユーザの操作により発信が行われて通話が開始されるとする（ステップ１０１）。制御部１１は通話の開始を検出すると、設定情報記憶部１４に通話相手の設定データが保存されているかを確認する（ステップ１０２）。設定情報記憶部１４には、電話番号とその番号に対応する通話相手の設定データが関連づけられて保存されている。制御部１１は通話相手の電話番号を検知して、その番号に関連づけられて保存されている設定データの有無を判断する。制御部１１は設定情報記憶部１４に通話相手の設定データが無いと判断すると（ステップ１０３でＮｏ）、音声記憶部１３に音声データの保存を開始する指示を送る。音声データの保存の開始の指示を受けた音声記憶部１３は、通信部１５から送られてくる通話している相手の音声を音声データとして保存する（ステップ１０４）。音声記憶部１３による音声データの保存は通話が終了するまで、あるいは所定の設定時間が経過するまで行われる。制御部１１は通話の終了または所定の設定時間の経過を検出すると、音声記憶部１３に対して音声データの保存を停止する指示を送る。音声記憶部１３は制御部１１から音声データの保存を停止する指示を受けると、音声データの保存を停止する。
【００１８】
制御部１１は通話相手に関する設定情報が保存されていると判断すると（ステップ１０３でＹｅｓ）、設定情報記憶部１４に要求して設定情報の読み出しを行う（ステップ１０５）。設定情報記憶部１４は制御部１１から設定情報のデータの要求を受けると、設定情報のデータを制御部１１へ送る。制御部１１は設定情報のデータを受けると、音声補正部１２に対して設定情報のデータを送るとともに音声データの補正を行う指示を送る。音声補正部１２は設定情報と音声補正を行う指示を受けると、設定情報に基づいて音声データの補正を行う（ステップ１０６）。音声補正部１２は音声出力部１８へと補正後の音声データを送る。音声出力部１８は音声補正部１２から送られてきた音声データを音声として出力する（ステップ１０７）。
【００１９】
次に保存された音声データに基づく音声をユーザが確認しながら、音声の補正に関する設定を行う際の動作について説明する。図４に音声の補正の設定をする際のフローの概要を示した。通話を行っていないときに、ユーザが音声の補正に関する設定の開始の操作を行ったとする。（ステップ１１１）。制御部１１は音声の補正に関する設定の開始を検出すると、表示部１７に設定項目を変更するための画面を表示する指示を送る。表示部１７は設定項目を変更するための画面の表示を行う指示を受けると、設定項目の入力画面を表示する（ステップ１１２）。本実施形態において音声の補正に関する設定項目は、図２に示すように、再生速度、雑音除去および音質のように設定されている。図２に示すように表示部１７には音声の補正に関する各設定項目が表示され、設定項目ごとに設定値を入力することができるようになっている。例えば、再生速度は「ふつう」と「ゆっくりめ」の間が数段階で分けられ、ユーザが操作部１６からの入力により設定値を選択することができる。
【００２０】
表示部１７に設定に関する情報を表示する指示を送ると、制御部１１は音声記憶部１３に対して保存した音声データを出力する指示を送る。音声記憶部１３は保存した音声データを出力する指示を受けると、音声補正部１３へと音声データを送る。音声補正部１３は音声データを受信すると、音声出力部１８に音声データを送信し音声の出力を行う（ステップ１１３）。
【００２１】
音声の出力が開始されると、ユーザは音声を聞きながら操作部１１から各設定項目について設定値を入力する（ステップ１１４）。操作部１６はユーザからの設定値の入力を検出すると、入力された設定値の情報を制御部１１へと送る。制御部１１は操作部１６から設定値の情報を受けると、音声補正部１２に操作部１６から受け取った設定値の情報を送り、その設定値に基づいて音声の補正を行う指示を送る。また、制御部１１は設定情報記憶部１４にその設定値の情報を一時保存する。音声補正部１２は制御部１１から設定値の情報を受けると、その情報に基づいて音声データの補正を行う（ステップ１１５）。音声補正部１２で補正の行われた音声データは音声出力部１８へと送られ音声の出力が行われる（ステップ１１６）。
【００２２】
補正後の音声の出力が行われた際に、ユーザにより設定完了の操作が行われると（ステップ１１７でＹｅｓ）、操作部１６は制御部１１へ設定完了の情報を送る。制御部１１は設定完了の情報を受けると、音声記憶部１３に音声データの出力の停止の指示を送る。音声記憶部１３は音声データの出力の停止の指示を受けると音声データの出力を停止する。制御部１１は音声記憶部１３に音声データの出力の停止の指示を送ると、設定情報記憶部１４に一時保存された設定情報を保存する指示を送る。設定情報記憶部１４は設定情報を保存する指示を受けると、通話の相手先の情報と紐づけてその設定情報を保存する（ステップ１１８）。通話の相手先の情報としては、例えば、相手の電話番号が用いられる。設定情報記憶部１４に設定情報の保存を指示すると、制御部１１は表示部１７に対して設定に関する画面表示を停止する指示を送る。表示部１７は制御部１１から設定に関する画面表示を停止する指示を受けると、設定に関する表示を停止して通常の画面表示へと戻る。以上の動作で音声の補正に関する設定動作は終了する（ステップ１１９）。通常の画面表示に戻る前に、設定が完了したことを示す情報が表示部１７に表示される方式としてもよい。また、その際、設定が完了したことを示す情報は、ユーザの確認後にユーザの操作により消去される方法としてもよく、また、所定の時間が経過したときに自動的に消去される方法としてもよい。
【００２３】
補正後の音声の出力が行われた際に、ユーザにより設定完了の操作が行われない場合は（ステップ１１７でＮｏ）、補正された音声データの出力が継続される（ステップ１２０）。ユーザにより設定完了の操作が行われない場合は、ステップ１２０において補正された音声データの出力が継続された状態で、ステップ１１４に戻りユーザの設定値の入力からの動作が繰り返される。その際、設定の完了の前に音声記憶部１３に保存された音声データが最後まで出力された場合には、音声データの初めに戻って音声の出力が行われる。
【００２４】
本発明の携帯電話装置では通話中の音声データを音声記憶部に保存し、その音声データを基に音声補正部での音声の補正に関する設定値を項目ごとに設定している。そのため、通話時等にユーザは表示部を見るためなどに会話を中断して操作を行う必要がない。また、双方向での通話時に保存した音声データを基に補正を行っているため、非通話時等に実際の会話時の音声の音質や速度を確認しながら各設定項目の設定が可能となる。その結果、音声補正に関する設定値の設定が容易となり、通話時の音声の補正を最適化することが可能となる。
【００２５】
本発明の第２の実施形態について図５を参照して詳細に説明する。図５は本実施形態の携帯電話装置の構成の概要を示したものである。第１の実施形態では通話相手を音声記憶部で保存し手動で設定を行ったが、本実施形態では保存した音声データを音声識別部で解析を行い補正値を設定する。
【００２６】
本実施形態の携帯電話装置は制御部２１と、音声補正部２２と、音声記憶部２３と、音声識別部２４と、設定情報記憶部２５と、通信部２６と、操作部２７と、表示部２８と、音声出力部２９と、音声入力部３０とを備えている。音声補正部２２と、設定情報記憶部２５と、通信部２６と、操作部２７と、表示部２８と、音声出力部２９および音声入力部３０の構成および機能は第１の実施形態と同様である。
【００２７】
制御部２１は携帯電話装置の各部位に指示を送り全体を制御する機能を有する。音声記憶部２３は半導体メモリ素子等からなり、音声データを記憶する機能を有する。音声記憶部２３は通話相手の音声およびユーザの音声を音声データとして記憶する機能を有する。通話相手の音声およびユーザの音声はどちらのものであるのか区別できる状態で保存される。例えば、音声記憶部２３は通話相手とユーザの音声データを異なるメモリ領域に保存し、２つの音声データを関連づけたデータを保存することによりどちらの音声であるかを区別して管理することができる。また、音声記憶部２３は通話相手の音声データと通話相手の音声データを所定の単位で保存し、所定の単位のデータごとにどちらの音声データであるかを示す情報を付加することにより、音声データを区別して管理することもできる。
【００２８】
音声識別部２４は音声記憶部２３に保存された音声データを解析する機能を有する。例えば、音声識別部２４は保存された音声の周波数特性データと傾向の似ているグループごとに予め保存されている周波数特性データを比較して、音声データと近いグループを判断する。傾向の似ているグループとは、年代や性別など音声の特性が近い人たちのグループのことをいい、グループごとの周波数特性データが保存されている。また、グループごとに再生速度、雑音除去および音声などの補正に関する設定項目の設定値が設定されている。よって、録音された音声データに近いグループを判断することにより、その音声に適した設定値を設定することができる。また、音声識別部２４は繰り返し発せられる単語の識別や会話の間隔の計測を行い、通話がスムーズに行われているかを判断することもある。例えば、同じ言葉が繰り返し発せられているときは、聞き取り等が上手くいっていないと判断し再生速度を予めそのグループに設定されている値よりも遅い側に設定する。
【００２９】
グループごとのデータが予め設定されている方式だけではなく、第１の実施形態での設定方法と同様の方法でユーザが設定した際の設定値と音声の周波数特性データが保存され、その周波数特性データを基に判断される方式とすることもできる。すなわち、ユーザが行った過去の設定に関する傾向を基に補正に関する設定値を判断する方法とすることもできる。
【００３０】
本実施形態の携帯電話装置において、通話が行われる際の動作について説明する。図６に通話が行われる際のフローの概略を示した。携帯電話装置において相手からの着信またはユーザの操作により発信が行われて通話が開始されるとする（ステップ１４１）。制御部２１は通話の開始を検出すると、設定情報記憶部２５に通話相手の設定データが保存されているかを確認する（ステップ１４２）。制御部２１は設定情報記憶部２５に通話相手の設定データが無いと判断すると（ステップ１４３でＮｏ）、音声記憶部２３に音声データの保存を開始する指示を送る。音声データの保存の開始の指示を受けた音声記憶部４３は、通信部２６から送られてくる通話している相手の音声および音声入力部３０から入力されるユーザの音声を音声データとして保存する（ステップ１４４）。音声記憶部２３による音声データの保存は通話が終了するまで、あるいは所定の設定時間が経過するまで行われる。制御部２１は通話の終了または所定の設定時間の経過を検出すると、音声記憶部２３に対して音声データの保存を停止する指示を送る。音声記憶部２３は制御部２１から音声データの保存を停止する指示を受けると、音声データの保存を停止する。
【００３１】
制御部２１は通話相手に関する設定情報が保存されていると判断すると（ステップ１４３でＹｅｓ）、設定情報記憶部２５に要求して設定情報の読み出しを行う（ステップ１４５）。設定情報記憶部２５は制御部２１から設定情報のデータの要求を受けると、設定情報のデータを制御部２１へ送る。制御部２１は設定情報のデータを受けると、音声補正部２２に対して設定情報のデータを送るとともに音声データの補正を行う指示を送る。音声補正部１２は設定情報と音声補正を行う指示を受けると、設定情報に基づいて音声データの補正を行う（ステップ１４６）。音声補正部２２は音声出力部２９へと補正後の音声データを送る。音声出力部２９は音声補正部２２から送られてきた音声データを音声として出力する（ステップ１４７）。
【００３２】
次に本実施形態において、音声の補正値が設定される際の動作について説明する。図７は補正値が設定される際の動作のフローの概要を示したものである。
【００３３】
制御部２１は通話が終了したことを検出すると、音声の補正値の設定を開始する（ステップ１５１）。制御部２１は音声の補正値の設定を開始すると、音声識別部２４に対して音声記憶部２３に保存されている音声データの識別を行う指示を送る。制御部２１は、携帯電話装置の動作負荷が高いときは、音声の補正値の設定値の開始を一時見送り、音声識別部２４への音声データの識別の指示を一定時間後に行うことがある。
【００３４】
制御部２１から音声データの識別の指示を受けた音声識別部２４は音声記憶部２３に保存されている音声データを要求する。音声データの要求を受けた音声記憶部２３は保存されている音声データを出力して音声識別部２４へと送る（ステップ１５２）。音声識別部２４は音声データを受け取ると、その周波数特性等の解析を行う（ステップ１５３）。音声識別部２４は周波数特性の解析を行うと、予めグループごとに保存されている周波数特性データとの比較を行う（ステップ１５４）。音声識別部２４は周波数特性データの比較により、通話相手の音声データの周波数特性がどのグループに近いかを判断する（ステップ１５５）。また、音声識別部２４はグループの判断をする際に、周波数特性に加え会話の間隔の計測結果を判断の基準に用いることがある。音声識別部２４はその音声データが属するグループを判断すると、判断したグループの情報または設定データを制御部２１へと送る。制御部２１は音声データのグループの判断結果または設定データを受信すると、設定情報記憶部２５に通話相手の情報に紐づけてそのグループまたは設定データを保存する（ステップ１５６）。制御部２１は設定データを保存すると、音声の補正値の設定を終了する（ステップ１５７）。
【００３５】
本実施形態の携帯電話装置では通話相手とユーザの音声の両方の保存を行ったが、通話相手の音声の保存のみを行う方法としてもよい。このとき、通話相手とユーザの音声の間隔または、通話相手の音声の間隔が保存され、その間隔のデータを音声の補正値の設定に用いることもできる。また、１回の通話の中で部分ごとに異なる補正値の判断が行われるときは、複数回の判断でもっとも多い設定値または平均値が選択されることや、通話時間の中間付近で判断した設定値が用いられることがある。
【００３６】
本実施形態の携帯電話装置では、通話相手等の音声データを音声記憶部に保存しその保存された音声データを基に適する補正内容を音声識別部が判断し補正値の設定を行っている。実際の双方向の通話を保存しその音声データに基づいて音声の補正値の設定を行っているため、より適した補正値の設定が可能となる。その結果、ユーザは同じ相手の再度、通話する際に設定等を意識せずに通話相手に適した補正が行われた音声で通話を行うことができる。
【００３７】
保存された音声データを用いた音声の補正値の設定を、第１の実施形態ではユーザの手動操作により行う例を示し、また、第２の実施形態においては自動で設定される例を示したが、手動か自動かをユーザが設定できる方法としてもよい。ユーザが自動と手動を設定できる場合の操作画面の例を図８に示した。制御部は通話の終了を検知すると図８のような画面が表示する。図８の画面において、自動設定をユーザが選択すると第２の実施形態の方法で音声の補正値が設定される。また、手動が選択されると第１の実施形態における項目ごとの選択図９のような画面が表示される。図９は第１の実施形態と同様に、補正値の設定項目ごとに補正値を入力できる画面となっている。また、図８のような画面の表示中に、「ゆっくり再生」、「女性はっきり再生」または「男性はっきり再生」を選択すると、各々に予め設定された設定値により音声の補正が行われて出力される。これらの設定は、細かな設定を行わずに、簡易的に音声の補正を実施する場合や、手動で設定する際に男性や女性など大まかな補正を行った後に、項目ごとに補正値を設定する場合などに用いることができる。その際の設定値は、例えば、「ゆっくり再生」では再生速度をゆっくりにし、雑音除去および音質は中程度に設定されている。「男性はっきり再生」では、設定値は再生速度および雑音除去は中程度に、音質は低音を強調するように設定されている。「女性はっきり再生」では、設定値は再生速度および雑音除去は中程度で設定され、音質は高音をやや強調するように設定されている。また、「補正なし」を選択すると、音声補正をしない状態で音声の出力が行われる。
【００３８】
第１の実施形態および第２の実施形態では通話をしていない状態で、補正値の設定を行ったが、通話中にも補正値の設定を行える方法とすることもできる。この場合は、図８のような操作画面から通話中に補正値の設定ができるよう方式とすることができる。通話中にも補正値の設定ができる方式とすることにより、保存されている補正値が最適なものとなっていなかった場合などにユーザが対処できるようなる。
【００３９】
第１の実施形態および第２の実施形態では携帯電話装置を例として音声の補正方法を示した。通話装置は携帯電話装置に限られず、スマートフォンなどの多機能携帯電話、通話機能付きのタブレット型コンピュータ、通話機能付きのパーソナルコンピュータの情報機器およびその他の情報機器を用いる場合でも同様に音声の補正を行うことができる。
【００４０】
本発明の第３の実施形態について図１０を参照して詳細に説明する。図１０は本実施形態における通話装置の構成の概要を示したものである。本実施形態の通話装置は、音声記憶手段４１と、補正条件決定手段４２と、音声補正手段４３とを備えている。音声記憶手段４１は双方向での通話中に音声を保存する機能を有する。補正条件決定手段４２は、保存された音声に基づいて音声を補正する際の条件を決定し補正条件として保存する機能を有する。音声補正手段４３は補正条件に基づいて通話相手の音声を補正する。
【００４１】
本実施形態の通話装置では通話中に保存した音声データを基に、通話相手の音声を補正する際の条件を設定している。そのため、音声補正に関する設定値の設定が容易となり、通話の中断等を行うことなく通話時の音声の補正を最適化することが可能となる。
【産業上の利用可能性】
【００４２】
本発明は、通話装置の音声補正に用いることができ、特に携帯電話装置等の携帯型の通話装置の音声補正技術として用いることができる。
【符号の説明】
【００４３】
１１    制御部
１２    音声補正部
１３    音声記憶部
１４    設定情報記憶部
１５    通信部
１６    操作部
１７    表示部
１８    音声出力部
１９    音声入力部
２１    制御部
２２    音声補正部
２３    音声記憶部
２４    音声識別部
２５    設定情報記憶部
２６    通信部
２７    操作部
２８    表示部
２９    音声出力部
３０    音声入力部
４１    音声記憶手段
４２    補正条件決定手段
４３    音声補正手段
１０１−１０７    音声の保存時の動作ステップ
１１１−１２０    補正値の設定時の動作ステップ
１４１−１４７    音声の保存時の動作ステップ
１５１−１５７    補正値の設定時の動作ステップ
【図１】
2014160973.tif 000003
【図２】
2014160973.tif 000004
【図３】
2014160973.tif 000005
【図４】
2014160973.tif 000006
【図５】
2014160973.tif 000007
【図６】
2014160973.tif 000008
【図７】
2014160973.tif 000009
【図８】
2014160973.tif 000010
【図９】
2014160973.tif 000011
【図１０】
2014160973.tif 000012